【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
繊維状絶縁材および不織マットの形成における使用のためのバインダ組成物であって、
水、
金属塩、
およびポリオール
を含み、金属塩およびポリオールは、１：９〜１：１の質量比で存在する、バインダ組成物。
【請求項２】
金属塩が、ホウ素、アルミニウム、ガリウム、インジウム、スズ、鉄、亜鉛、チタン、ビスマス、ジルコニウム、およびそれらの組み合わせからなる群から選択される金属を含む、請求項１に記載の水性バインダ組成物。
【請求項３】
金属塩が、アルミニウムの塩である、請求項２に記載の水性バインダ組成物。
【請求項４】
金属塩が、塩化アルミニウム、硝酸アルミニウム、硫酸アルミニウム、第一リン酸アルミニウム、アルミン酸ナトリウム、およびそれらの組み合わせからなる群から選択される、請求項３に記載の水性バインダ組成物。
【請求項５】
ポリオールが、芳香族アルコール、グリセロール、ポリグリセロール、エチレングリコール、プロピレングリコール、ポリエチレングリコール、脂肪族アルコール、未変性ポリビニルアルコール、変性ポリビニルアルコール、ポリビニルアルコールコポリマー、ポリ酢酸ビニル、ポリアクリル酸、およびそれらの組み合わせからなる群から選択される、請求項１に記載の水性バインダ組成物。
【請求項６】
ポリオールが、ポリビニルアルコールである、請求項５に記載の水性バインダ組成物。
【請求項７】
ポリビニルアルコールが、３〜５センチポイズの粘度を有する、請求項６に記載の水性バインダ組成物。
【請求項８】
ポリビニルアルコールが、少なくとも５０％加水分解されている、請求項７に記載の水性バインダ組成物。
【請求項９】
複数の繊維、および
繊維の少なくとも一部に適用されるバインダ組成物
を含む、繊維状絶縁製品であって、バインダ組成物は、
水、
金属塩、
およびポリオールを含み、
金属塩とポリオールとの質量比は、１：９９〜１：１の範囲であり、かつ
バインダ組成物は、１％〜２５％の強熱減量の量で繊維状絶縁製品中に存在する、繊維状絶縁製品。
【請求項１０】
金属塩とポリオールとの質量比が、１：９〜１：１の範囲である、請求項９に記載の繊維状絶縁製品。
【請求項１１】
金属塩が、ホウ素、アルミニウム、ガリウム、インジウム、スズ、鉄、亜鉛、チタン、ビスマス、ジルコニウム、およびそれらの組み合わせからなる群から選択される金属を含む、請求項９に記載の繊維状絶縁製品。
【請求項１２】
金属塩が、アルミニウムの塩である、請求項１１に記載の繊維状絶縁製品。
【請求項１３】
金属塩が、塩化アルミニウム、硝酸アルミニウム、硫酸アルミニウム、第一リン酸アルミニウム、アルミン酸ナトリウム、およびそれらの組み合わせからなる群から選択される、請求項１２に記載の繊維状絶縁製品。
【請求項１４】
ポリオールが、芳香族アルコール、グリセロール、ポリグリセロール、ソルビトール、エチレングリコール、プロピレングリコール、ポリエチレングリコール、ペンタエリスリトール、脂肪族アルコール、未変性ポリビニルアルコール、変性ポリビニルアルコール、ポリビニルアルコールコポリマー、ポリ酢酸ビニル、ポリアクリル酸、およびそれらの組み合わせからなる群から選択される、請求項９に記載の繊維状絶縁製品。
【請求項１５】
ポリオールが、ポリビニルアルコールである、請求項１４に記載の繊維状絶縁製品。
【請求項１６】
ポリビニルアルコールが、３〜５センチポイズの粘度を有する、請求項１５に記載の繊維状絶縁製品。
【請求項１７】
ポリビニルアルコールが、少なくとも５０％加水分解されている、請求項１６に記載の水性バインダ組成物。
【請求項１８】
添加されたホルムアルデヒドを含まない、請求項９に記載の繊維状絶縁製品。
【請求項１９】
繊維が、ガラス繊維である、請求項９に記載の繊維状絶縁製品。
【請求項２０】
第１の主要表面および第２の主要表面を有するマットの形態の複数の繊維と、
前記マットの前記第１の主要表面を少なくとも部分的にコーティングするバインダ組成物と
を含む、不織マットであって、前記バインダ組成物は、
水、
金属塩、
およびポリオール
を含み、
金属塩とポリオールとの質量比は、１：９９〜１：１の範囲であり、かつ
バインダ組成物は、１％〜２５％の強熱減量の量で不織マット中に存在する、不織マット。
【請求項２１】
繊維が、ガラス繊維であり、繊維は、６．５μｍ〜２４μｍの範囲内の平均直径を有する、請求項２０に記載の不織マット。
【請求項２２】
繊維状絶縁製品を作製する方法であって、
複数の繊維を含む繊維状ブランケットを形成する工程と、
前記ガラス繊維の少なくとも一部にバインダ組成物を適用する工程であって、前記バインダ組成物は、
水、
金属塩、
およびポリオール
を含み、
金属塩とポリオールとの質量比は、１：９９〜１：１の範囲内である、工程と、
繊維状ブランケットをオーブンに通過させて、繊維状ブランケット上のバインダを少なくとも部分的に硬化させ、絶縁製品を形成する工程であって、
バインダ組成物は、１％〜２５％の強熱減量の量で繊維状絶縁製品中に存在する、工程と
を含む、方法。
【請求項２３】
線維が、ガラス繊維である、請求項２２に記載の方法。
【手続補正２】
【補正対象書類名】明細書
【補正対象項目名】００５２
【補正方法】変更
【補正の内容】
【００５２】
例からわかるとおりに、本発明のバインダ組成物は、ある特定の場合に、従来のバインダシステムのものを満たすか、または超える性能を有する絶縁性製品を製造することができる。ある特定の場合では、硬化温度の低下は、製品の品質を改善したが、統計的に有意な性能変化は呈さなかった。加工助剤、例えば、ポリエチレングリコールおよびグリセロールの添加は、ある特定の試験で製品性能を改善した。概して、本発明のバインダシステムは、高温／湿潤条件下で試験した場合、性能を犠牲にしなかった。
本発明の一般的概念について、総称的に、また特定の実施形態に関して上述してきた。本発明は、一部の好ましい実施形態であると考えられるもので示してきたが、当業者に公知の多種多様な代替案が、より広い開示の範囲内で選択され得る。本発明は、以下に示される特許請求の範囲の記載以外に、別途限定されることはない。
本発明のまた別の態様は、以下のとおりであってもよい。
〔１〕繊維状絶縁材および不織マットの形成における使用のためのバインダ組成物であって、
水、
金属塩、
およびポリオール
を含み、金属塩およびポリオールは、１：９９〜１：１の質量比で存在する、バインダ組成物。
〔２〕金属塩とポリオールとの質量比が、１：９〜１：１の範囲である、前記〔１〕に記載の水性バインダ組成物。
〔３〕金属塩が、ホウ素、アルミニウム、ガリウム、インジウム、スズ、鉄、亜鉛、チタン、ビスマス、ジルコニウム、およびそれらの組み合わせからなる群から選択される金属を含む、前記〔１〕に記載の水性バインダ組成物。
〔４〕金属塩が、アルミニウムの塩である、前記〔３〕に記載の水性バインダ組成物。
〔５〕金属塩が、塩化アルミニウム、硝酸アルミニウム、硫酸アルミニウム、第一リン酸アルミニウム、アルミン酸ナトリウム、およびそれらの組み合わせからなる群から選択される、前記〔４〕に記載の水性バインダ組成物。
〔６〕ポリオールが、芳香族アルコール、グリセロール、ポリグリセロール、エチレングリコール、プロピレングリコール、ポリエチレングリコール、脂肪族アルコール、未変性ポリビニルアルコール、変性ポリビニルアルコール、ポリビニルアルコールコポリマー、ポリ酢酸ビニル、ポリアクリル酸、およびそれらの組み合わせからなる群から選択される、前記〔１〕に記載の水性バインダ組成物。
〔７〕ポリオールが、ポリビニルアルコールである、前記〔６〕に記載の水性バインダ組成物。
〔８〕ポリビニルアルコールが、３〜５センチポイズの粘度を有する、前記〔７〕に記載の水性バインダ組成物。
〔９〕ポリビニルアルコールが、少なくとも５０％加水分解されている、前記〔８〕に記載の水性バインダ組成物。
〔１０〕複数の繊維、および
繊維の少なくとも一部に適用されるバインダ組成物
を含む、繊維状絶縁製品であって、バインダ組成物は、
水、
金属塩、
およびポリオールを含み、
金属塩とポリオールとの質量比は、１：９９〜１：１の範囲であり、かつ
バインダ組成物は、１％〜２５％の強熱減量の量で繊維状絶縁製品中に存在する、繊維状絶縁製品。
〔１１〕金属塩とポリオールとの質量比が、１：９〜１：１の範囲である、前記〔１０〕に記載の繊維状絶縁製品。
〔１２〕金属塩が、ホウ素、アルミニウム、ガリウム、インジウム、スズ、鉄、亜鉛、チタン、ビスマス、ジルコニウム、およびそれらの組み合わせからなる群から選択される金属を含む、前記〔１０〕に記載の繊維状絶縁製品。
〔１３〕金属塩が、アルミニウムの塩である、前記〔１２〕に記載の繊維状絶縁製品。
〔１４〕金属塩が、塩化アルミニウム、硝酸アルミニウム、硫酸アルミニウム、第一リン酸アルミニウム、アルミン酸ナトリウム、およびそれらの組み合わせからなる群から選択される、前記〔１３〕に記載の繊維状絶縁製品。
〔１５〕ポリオールが、芳香族アルコール、グリセロール、ポリグリセロール、ソルビトール、エチレングリコール、プロピレングリコール、ポリエチレングリコール、ペンタエリスリトール、脂肪族アルコール、未変性ポリビニルアルコール、変性ポリビニルアルコール、ポリビニルアルコールコポリマー、ポリ酢酸ビニル、ポリアクリル酸、およびそれらの組み合わせからなる群から選択される、前記〔１０〕に記載の繊維状絶縁製品。
〔１６〕ポリオールが、ポリビニルアルコールである、前記〔１５〕に記載の繊維状絶縁製品。
〔１７〕ポリビニルアルコールが、３〜５センチポイズの粘度を有する、前記〔１６〕に記載の繊維状絶縁製品。
〔１８〕ポリビニルアルコールが、少なくとも５０％加水分解されている、前記〔１７〕に記載の水性バインダ組成物。
〔１９〕添加されたホルムアルデヒドを含まない、前記〔１０〕に記載の繊維状絶縁製品。
〔２０〕繊維が、ガラス繊維である、前記〔１０〕に記載の繊維状絶縁製品。
〔２１〕第１の主要表面および第２の主要表面を有するマットの形態の複数の繊維と、
前記マットの前記第１の主要表面を少なくとも部分的にコーティングするバインダ組成物と
を含む、不織マットであって、前記バインダ組成物は、
水、
金属塩、
およびポリオール
を含み、
金属塩とポリオールとの質量比は、１：９９〜１：１の範囲であり、かつ
バインダ組成物は、１％〜２５％の強熱減量の量で不織マット中に存在する、不織マット。
〔２２〕繊維が、ガラス繊維であり、繊維は、６．５μｍ〜２４μｍの範囲内の平均直径を有する、前記〔２１〕に記載の不織マット。
〔２３〕繊維状絶縁製品を作製する方法であって、
複数の繊維を含む繊維状ブランケットを形成する工程と、
前記ガラス繊維の少なくとも一部にバインダ組成物を適用する工程であって、前記バインダ組成物は、
水、
金属塩、
およびポリオール
を含み、
金属塩とポリオールとの質量比は、１：９９〜１：１の範囲内である、工程と、
繊維状ブランケットをオーブンに通過させて、繊維状ブランケット上のバインダを少なくとも部分的に硬化させ、絶縁製品を形成する工程であって、
バインダ組成物は、１％〜２５％の強熱減量の量で繊維状絶縁製品中に存在する、工程と
を含む、方法。
〔２４〕線維が、ガラス繊維である、前記〔２３〕に記載の方法。